(57)【要約】【課題】自火報システムにおける自動試験の時間の短縮を図ることが可能な中継システム及び自火報システム提供する。【解決手段】中継システム２０は、受信機１と各々が自動試験機能を有する複数の感知器３との間の通信を中継する。中継システム２０は、第１通信部２１と、第２通信部２２と、制御部２３と、を備える。第１通信部２１は、受信機１との通信を行う。第２通信部２２は、複数の感知器３との通信を行う。制御部２３は、第２通信部２２から複数の感知器３の各々に対して自動試験要求が送信されるように第２通信部２２を制御し、第２通信部２２を介して取得した複数の感知器３の各々の試験結果が第１通信部２１から受信機１へ送信されるように第１通信部２１を制御する。【選択図】図１
2018190096.tif 000002
【特許請求の範囲】
【請求項１】
受信機と各々が自動試験機能を有する複数の感知器との間の通信を中継する中継システムであって、
前記受信機との通信を行う第１通信部と、
前記複数の感知器との通信を行う第２通信部と、
前記第２通信部から前記複数の感知器の各々に対して自動試験要求が送信されるように前記第２通信部を制御し、前記第２通信部を介して取得した前記複数の感知器の各々の試験結果が前記第１通信部から前記受信機へ送信されるように前記第１通信部を制御する制御部と、を備える
ことを特徴とする中継システム。
【請求項２】
前記制御部は、前記第１通信部を介して前記受信機からの自動試験に関する試験要求を取得したときに、前記第２通信部から前記複数の感知器に対して前記自動試験要求が送信されるように前記第２通信部を制御する
ことを特徴とする請求項１記載の中継システム。
【請求項３】
前記受信機からの前記試験要求が前記複数の感知器の各々に対する要求であり、
前記制御部は、前記試験要求を取得したときに、前記第２通信部から前記試験要求の要求先の感知器に対して前記自動試験要求が送信されるように前記第２通信部を制御する
ことを特徴とする請求項２記載の中継システム。
【請求項４】
前記受信機からの前記試験要求が前記複数の感知器に対する一括の要求であり、
前記制御部は、前記試験要求を取得したときに、前記第２通信部から前記複数の感知器に対して前記自動試験要求が送信されるように前記第２通信部を制御する
ことを特徴とする請求項２記載の中継システム。
【請求項５】
前記制御部は、前記第２通信部から前記複数の感知器の各々に対して前記自動試験要求が送信されるように前記第２通信部を制御し、前記複数の感知器の各々の試験結果を前記第２通信部を介して取得し、
前記制御部は、前記第１通信部を介して前記受信機から前記複数の感知器に対する試験要求を取得したときに、前記複数の感知器の各々についての最新の試験結果が一括で前記第１通信部から前記受信機へ送信されるように前記第１通信部を制御する
ことを特徴とする請求項１記載の中継システム。
【請求項６】
前記制御部は、前記複数の感知器の各々の試験結果を個別に前記第１通信部から前記受信機へ送信させるように前記第１通信部を制御する
ことを特徴とする請求項２乃至４のいずれか一項に記載の中継システム。
【請求項７】
前記制御部は、前記複数の感知器の試験結果を一括で前記第１通信部から前記受信機へ送信させるように前記第１通信部を制御する
ことを特徴とする請求項２乃至４のいずれか一項に記載の中継システム。
【請求項８】
受信機と、各々が自動試験機能を有する複数の感知器と、請求項１乃至７のいずれか一項に記載の中継システムと、を備える
ことを特徴とする自火報システム。
【発明の詳細な説明】
【技術分野】
【０００１】
本発明は、中継システム及び自火報システムに関し、より詳細には、受信機と複数の感知器との間の通信を中継する中継システム及び自火報システムに関する。
【背景技術】
【０００２】
従来、自火報システムとして、火災受信機及び信号線路及び火災感知器の自己診断又は試験を行って異常が検出されたときに、この異常内容を表示部において特定区域ごとに文字表示する、自動火災報知装置が提案されている（特許文献１）。
【０００３】
特許文献１に記載された自動火災報知装置では、火災受信機から導出した伝送線にアイソレータ機能を有する複数の中継器が接続されており、この複数の中継器の各々から導出した感知器回線にはアドレスの付加された複数の火災感知器が接続されている。
【先行技術文献】
【特許文献】
【０００４】
【特許文献１】特開平１１−９６４８０号公報
【発明の概要】
【発明が解決しようとする課題】
【０００５】
従来の自火報システムでは、中継器の数と各中継器に接続されている火災感知器の数との少なくとも一方が増えるにつれて、一週間に一度行われる自動試験（定期自動試験）に必要な時間が長くなってしまう。
【０００６】
本発明の目的は、自火報システムにおける自動試験の時間の短縮を図ることが可能な中継システム及び自火報システムを提供することにある。
【課題を解決するための手段】
【０００７】
本発明に係る一態様の中継システムは、受信機と各々が自動試験機能を有する複数の感知器との間の通信を中継する。中継システムは、第１通信部と、第２通信部と、制御部と、を備える。前記第１通信部は、前記受信機との通信を行う。前記第２通信部は、前記複数の感知器との通信を行う。前記制御部は、前記第２通信部から前記複数の感知器の各々に対して自動試験要求が送信されるように前記第２通信部を制御し、前記第２通信部を介して取得した前記複数の感知器の各々の試験結果が前記第１通信部から前記受信機へ送信されるように前記第１通信部を制御する。
【０００８】
本発明に係る一態様の自火報システムは、受信機と、各々が自動試験機能を有する複数の感知器と、上記の中継システムと、を備える。
【発明の効果】
【０００９】
本発明の中継システム及び自火報システムは、自火報システムにおける自動試験の時間の短縮を図ることが可能となる。
【図面の簡単な説明】
【００１０】
【図１】図１は、本発明の一実施形態に係る中継システムを備える自火報システムのシステム構成図である。
【図２】図２は、同上の中継システムを備える自火報システムの動作の一例を示すシーケンス図である。
【図３】図３は、本発明の一実施形態の変形例１に係る中継システムを備える自火報システムの動作の一例を示すシーケンス図である。
【図４】図４は、本発明の一実施形態の変形例２に係る中継システムを備える自火報システムの動作の一例を示すシーケンス図である。
【図５】図５は、本発明の一実施形態の変形例３に係る中継システムを備える自火報システムの動作の一例を示すシーケンス図である。
【発明を実施するための形態】
【００１１】
（実施形態）
以下、本実施形態の中継システム２０を備える自火報システム１００について、図１及び２に基づいて説明する。
【００１２】
自火報システム１００は、例えば火災の発生を検知したときに、火災の発生を、防火対象物の在館者に報知することが可能な防災システムである。防火対象物としては、例えば、オフィスビル、劇場、映画館、公会堂、遊技場、複合施設、飲食店、百貨店、ホテル、旅館、病院、老人ホーム、幼稚園、学校、図書館、博物館、美術館、地下街、駅、空港、集合住宅等が挙げられる。
【００１３】
自火報システム１００は、受信機１と、複数の中継器２と、複数の感知器３と、複数の発信機４と、を備える。また、自火報システム１００は、地区音響装置５を備える。自火報システム１００では、複数の中継器２の各々が、中継システム２０を構成している。
【００１４】
受信機１と複数の中継器２とは、第１通信線Ｌ１により接続されている。受信機１と複数の中継器２とは、一例として、Ｒ型（Record-type）の通信方式で通信する。より詳細には、受信機１と複数の中継器２とは伝送線Ｌ０を介して時分割多重伝送方式により通信する。時分割多重伝送方式の通信プロトコルとしては、例えば、ＮＭＡＳＴ（登録商標）の通信規格を採用することができる。ここにおいて、自火報システム１００では、受信機１及び複数の中継器２それぞれが、固有の第１アドレスを有している。第１アドレスは、例えば、自火報システム１００の施工時等に、アドレス設定器等によって設定することができる。
【００１５】
受信機１は、第１通信線Ｌ１に対して、伝送信号を送出する。伝送信号は、双極性（±２４Ｖ）の時分割多重信号であり、パルス幅変調によってデータが伝送されるようになっている。伝送信号は、スタートパルス信号、モードデータ、アドレスデータ、制御データ、チェックサムデータ及び信号返送期間を含む。スタートパルス信号は、信号送出開始を示す信号である。モードデータは、伝送信号のモードを示すデータである。アドレスデータは、複数の中継器２を各別に呼び出すためのデータである。制御データは、中継器２等を制御するためのデータである。チェックサムデータは、伝送誤りを検出するためのデータである。信号返送期間は、中継器２からの返送信号を受信するタイムスロットである。
【００１６】
複数の中継器２の各々は、第１通信線Ｌ１を介して受信した伝送信号に含まれるアドレスデータが自己のアドレス（第１アドレス）に一致すると、伝送信号から制御データを取り込む。そして、複数の中継器２の各々は、伝送信号の信号返送期間に監視データを電流モード信号として返送する。電流モード信号は、第１通信線Ｌ１を適当な低インピーダンスを介して短絡することにより送出される信号である。
【００１７】
受信機１は、所望の中継器２にデータを伝送する場合、モードデータを制御モードとし、所望の中継器２のアドレス（第１アドレス）をアドレスデータとする伝送信号を送出する。そして、自火報システム１００では、アドレスデータに一致するアドレスの中継器２が、制御データを受け取り、信号返送期間に監視データを返送する。そして、受信機１は、送出した制御データと信号返送期間に受信した監視データとの関係によって制御データが所望の中継器２に伝送されたことを確認する。
【００１８】
受信機１は、通常時にはモードデータをダミーモードとした伝送信号を一定時間間隔で送出している（常時、ポーリングを行っている）。複数の中継器２の各々は、受信機１に対して何らかの情報を伝送しようとする場合、ダミーモードの伝送信号のスタートパルス信号に同期させて、割込信号を発生させる。このとき、複数の中継器２の各々は、割込フラグを設定して受信機１との以後の情報の授受に備える。
【００１９】
受信機１は、割込信号を受信すると、モードデータを割込ポーリングモードとし且つアドレスデータの上位の半数のビット（アドレスデータを８ビットとすれば上位４ビット）を順次増加させながら伝送信号を送出する。割込信号を発生した中継器２は、割込ポーリングモードの伝送信号のアドレスデータの上位４ビットが自己のアドレスの上位４ビットに一致するときに、信号返送期間にアドレスの下位の半数のビットを受信機１に返送する。これにより、受信機１は、割込信号を発生した中継器２を認識することができる。
【００２０】
受信機１は、割込信号を発生した中継器２のアドレスを獲得すると、モードデータを監視モードとし、獲得したアドレスのアドレスデータを持つ伝送信号を第１通信線Ｌ１に送出する。そして、中継器２は、この伝送信号に対して、伝送しようとする情報である監視データを信号返送期間に返送する。
【００２１】
その後、受信機１は、割込信号を発生した中継器２に対して割込リセットを指示する信号を送出し、中継器２の割込フラグを解除する。
【００２２】
以上のようにして、中継器２から受信機１への監視データの伝送は、受信機１から中継器２への４回の信号伝送（ダミーモード、割込ポーリングモード、監視モード、割込リセット）によって完了する。
【００２３】
受信機１と複数の中継器２との間の通信に用いる伝送信号は、双極性（±２４Ｖ）の電圧信号に限らず、例えば、０〜２４Ｖの間で電圧値を適宜変化させる伝送方式等でもよい。
【００２４】
複数の中継器２の各々と複数の感知器３及び発信機４とは、第２通信線Ｌ２により接続されている。要するに、中継器２には、第２通信線Ｌ２が接続されており、この第２通信線Ｌ２に複数の感知器３及び発信機４が接続されている。複数の感知器３及び発信機４は、一例として、Ｐ型（Proprietary-type）の通信方式で中継器２と通信する。自火報システム１００では、複数の感知器３それぞれが、固有の第２アドレスを有している。第２アドレスは、例えば、自火報システム１００の施工時等に、アドレス設定器等によって設定することができる。複数の中継器２の各々は、受信機１と複数の感知器３との間の通信を中継する。
【００２５】
各感知器３は、例えば、煙を感知する感知器、及び熱を感知する感知器等である。各感知器３は、火災の発生を検知すると、火災の発生を通知する信号（以下、火災報と呼ぶ。）を、第２通信線Ｌ２に出力する。各発信機４は、一例として、押し釦を有し、押し釦が押し操作されると火災報を第２通信線Ｌ２に出力する。中継器２は、火災報を受信すると、第１通信線Ｌ１を介して火災報を受信機１に送信する。したがって、受信機１は、複数の感知器３のうちの少なくとも１つの感知器３と、複数の発信機４のうちの少なくとも１つの発信機４とから火災報を受信することができる。
【００２６】
受信機１と地区音響装置５とは、制御線Ｃ１により接続されている。地区音響装置５は、受信機１において火災報を受信したときに、鳴動するように受信機１によって制御される。地区音響装置５は、例えば、建物内の各所に設置される。地区音響装置５は、例えば、ベルと、ベルを鳴動させるモータと、を有するモータ式のベルである。
【００２７】
以下、自火報システム１００の各構成要素について、より詳細に説明する。
【００２８】
受信機１は、例えば、防火対象物である建物の防災センタや管理室等に設置される。受信機１の設置形態は、自立型であるが、これに限らず、壁掛型でもよい。受信機１は、例えば、ＧＲ型受信機である。受信機１は、外部電源から給電される。外部電源は、例えば、交流１００Ｖの商用電源である。受信機１は、商用電源の停電時等にも動作可能とするための予備電源を備えている。
【００２９】
受信機１は、建物内の警戒区域に設置されている感知器３、発信機４等からの火災報（火災の発生を通知する信号）を受信したときに、火災の発生を報知する動作を行う。火災の発生を報知する動作は、例えば、建物内に設置された地区音響装置５を鳴動させる動作と、電気通信回線を介して建物の外部の施設（例えば消防署等）に通報する動作と、を含む。これにより、自火報システム１００では、避難と初期消火活動を促すことが可能となる。また、受信機１は、火災が発生した警戒区域を表示するための表示部１４を備えている。警戒区域は、例えば、日本国の消防法においては、１つの警戒区域の面積が６００ｍ２以下であり且つ１辺の長さが５０ｍ以下であること、２つ以上の階にわたらないこと、等が規定されている。
【００３０】
受信機１は、通信部１１と、電源部１２と、記憶部１３と、表示部１４と、操作部１５と、電源供給部１６と、制御部１７と、を備える。
【００３１】
通信部１１には、第１通信線Ｌ１が接続されている。通信部１１は、第１通信線Ｌ１を介して、複数の中継器２等との通信を上述の時分割多重伝送方式により行う。
【００３２】
電源部１２は、外部電源から供給される電圧（実効値が１００Ｖの交流電圧）から所定の電圧値（例えば、２４Ｖ）の直流電圧を生成する。電源部１２は、例えば、直流安定化回路、降圧チョッパ回路等である。
【００３３】
記憶部１３は、例えば、ＥＥＰＲＯＭ（Electrically Erasable Programmable Read Only Memory）等の不揮発性メモリを有する。記憶部１３は、例えば、受信機１のアドレス、複数の中継器２の各々のアドレス（第１アドレス）、複数の感知器３の各々のアドレス（第２アドレス）、複数の発信機４のアドレス等を記憶する。ここにおいて、受信機１は、例えば、複数の中継器２、複数の感知器３それぞれとの通信によってそれぞれのアドレスを取得し、取得したアドレスを記憶部１３に記憶するようにしてもよい。制御部１７は、アドレスに基づいて、複数の中継器２、複数の感知器３及び複数の発信機４等と通信することができる。
【００３４】
表示部１４は、液晶パネルディスプレイを有する。表示部１４は、種々の表示が可能であり、例えば、受信機１に火災報を送信した感知器３が設置されている警戒区域の場所、火災警報に関する情報、各感知器３の自動試験の結果に関する情報等を表示することができる。操作部１５は、自火報システム１００の各種の設定等を行う際の入力を受け付けるための操作を受け付ける。受信機１は、表示部１４と操作部１５とを含む操作表示装置として、タッチパネル式液晶ディスプレイを備えている。操作表示装置は、ユーザインターフェイス（GUI：Graphic User Interface）として機能する。制御部１７は、操作表示装置の表示部１４に情報を出力し、操作表示装置の操作部１５（タッチパッド）から入力される情報を受け付ける。表示部１４には、必要に応じて様々な画面が表示される。自火報システム１００では、表示装置と操作装置とを個別に備えていてもよい。
【００３５】
自火報システム１００では、例えば、施工業者等が操作表示装置を利用して、各警戒区域と、複数の中継器２、複数の感知器３、発信機４等の固有のアドレスと、を対応付けることができる。
【００３６】
電源供給部１６は、制御線Ｃ１に接続されている地区音響装置５に電源電圧を供給する。ここにおいて、電源供給部１６は、受信機１が火災報を受信したときに制御部１７によって制御されて制御線Ｃ１に電源電圧を出力する（印加する）。
【００３７】
制御部１７は、通信部１１、電源部１２、記憶部１３、表示部１４、操作部１５及び電源供給部１６等を制御する。制御部１７は、例えば、ＣＰＵ（Central Processing Unit）及びメモリを有するコンピュータを主構成としており、メモリに格納されているプログラムをＣＰＵで実行することにより、種々の機能を実現する。プログラムは、予めコンピュータのメモリに記録されていてもよいし、メモリカードのような記録媒体に記録されて提供されてもよいし、インターネット等の電気通信回線を通して提供されてもよい。
【００３８】
本実施形態における受信機１の制御部１７は、各中継器２に接続されている複数の感知器３の自動試験に関する試験要求（試験要求のコマンド）を通信部１１から各中継器２に送信させる機能を有する。受信機１では、制御部１７が、定期的（例えば、２４時間ごと）に試験要求を通信部１１から各中継器２へ送信させるように構成されているが、これに限らない。例えば、受信機１では、例えば、操作部１５にて所定の入力を受け付けたときに、制御部１７が、試験要求を通信部１１から中継器２に送信させるようにしてもよい。
【００３９】
本実施形態の自火報システム１００では、複数の中継器２の各々に接続された第２通信線Ｌ２に、複数の感知器３が接続されている。図１では、説明の便宜上、２つの中継器２のみを図示し、各中継器２に接続される感知器３の数を２つとしてある。また、図１では、２つの中継器２を区別するために一方の中継器２を中継器２ａとし、他方の中継器２を中継器２ｂとしてある。また、中継器２ａに接続されている２つの感知器３を区別するために一方の感知器３を感知器３ａａとし、他方の感知器３を感知器３ａｂとしてある。また、中継器２ａに接続されている発信機４を発信機４ａとしてある。また、中継器２ｂに接続されている２つの感知器３を区別するために一方の感知器３を感知器３ｂａとし、他方の感知器３を感知器３ｂｂとしてある。また、中継器２ｂに接続されている発信機４を発信機４ｂとしてある。
【００４０】
複数の感知器３の各々は、例えば、建物内の天井材、壁材等に取り付けられる。複数の感知器３としては、Ｐ型の自動試験機能付き煙感知器、Ｐ型の自動試験機能付き熱感知器等がある。
【００４１】
複数の感知器３の各々は、自動試験機能を有する。感知器３は自動試験を行い、自動試験の試験結果を中継器２へ送信する機能を有する。Ｐ型の自動試験機能付き煙感知器は、自動試験機能として、煙感知のための機能が適正に維持されているか否かを自動試験する機能を有する。Ｐ型の自動試験機能付き熱感知器は、自動試験機能として、熱感知のための機能が適正に維持されているか否かを自動試験する機能を有する。
【００４２】
自火報システム１００では、複数の中継器２の各々に複数の感知器３及び発信機４が接続されている。ここにおいて、中継器２の各々は、１次側に第１通信線Ｌ１が接続され、２次側に第２通信線Ｌ２が接続されている。互いに接続されている中継器２と複数の感知器３とは、例えば、Ｐ型の通信方式で通信可能である。中継器２は、第２通信線Ｌ２に接続されている複数の感知器３のいずれかから火災報を取得したときに、火災報をプロトコル変換し、時分割多重伝送方式により、自己のアドレスを利用して受信機１へ火災報を送信する。自火報システム１００では、受信機１から第１通信線Ｌ１に出力される上述の伝送信号は時分割多重伝送信号である。自火報システム１００では、受信機１が複数の中継器２それぞれのアドレスを利用してポーリングを行っており、複数の感知器３が接続された中継器２から出力される火災報を上述の監視データとして受信し、火災報知を行う。中継器２は、第１通信プロトコルを用いて受信機１と通信する機能と、第２通信プロトコルを用いて複数の感知器３と通信する機能と、を有する。
【００４３】
複数の感知器３の各々は、通信部３１と、記憶部３２と、検知部３４と、制御部３３と、を備える。
【００４４】
通信部３１は、第２通信線Ｌ２を介して中継器２に接続されている。これにより、通信部３１は、第２通信線Ｌ２を介して中継器２と通信する。
【００４５】
記憶部３２は、例えば、ＥＥＰＲＯＭ（Electrically Erasable Programmable Read Only Memory）等の不揮発性メモリを有する。感知器３では、自身のアドレス（第２アドレス）等が、記憶部３２に記憶されている。
【００４６】
検知部３４は、火災を検知する。感知器３が煙感知器の場合には、検知部３４は、発光素子及び受光素子を備えており、火災の煙を検知することにより火災を検知する。感知器３が熱感知器の場合には検知部３４は、熱検知素子を備えており、火災の熱を検知することにより火災を検知する。
【００４７】
制御部３３は、通信部３１、記憶部３２及び検知部３４を制御する。制御部３３は、記憶部３２に記憶されているアドレスを読み出することができる。制御部３３は、通信部３１にて中継器２からの自動試験要求を取得したときに、検知部３４を制御することで自動試験を行う。制御部３３は、例えば、マイクロコントローラを含む。マイクロコントローラは、プログラムに従って動作するプロセッサと、プロセッサを動作させるプログラムを格納するためのメモリ及び作業用のメモリと、を備えた１チップのデバイスとして構成される。制御部３３に関しては、マイクロコントローラに適宜のプログラムを実行させることにより、制御部３３を実現することができる。
【００４８】
制御部３３は、通信部３１に第２通信線Ｌ２の線間の電圧を変化させて通信部３１から中継器２の第２通信部２２へ信号を送信させるように通信部３１を制御する。制御部３３は、通信部３１において第２通信線Ｌ２に流れる電流の電流値を３つのレベルのうちの少なくとも２つのレベルの間で変化させることで第２アドレスを含む伝送信号を電流信号として通信部３１から送信させるように通信部３１を制御してもよい。
【００４９】
複数の感知器３が接続されている第２通信線Ｌ２の終端には、発信機４が接続されている。発信機４は、受信機１に対して２線式の応答線Ａ１及び２線式の電話線ＴＥ１それぞれにより接続されている。発信機４は、押し釦を有し、押し釦が押し操作されたときに、火災報を第２通信線Ｌ２に出力する。ここにおいて、中継器２は、火災報を受信すると、第１通信線Ｌ１を介して火災報を受信機１に送信する。発信機４は、例えば、Ｐ型１級発信機であるが、これに限らず、Ｐ型２級発信機等でもよいし、Ｔ型発信機等でもよい。
【００５０】
中継器２は、第１通信部２１と、第２通信部２２と、記憶部２４と、制御部２３と、を備える。
【００５１】
第１通信部２１は、受信機１との通信を行う。第１通信部２１は、第１通信線Ｌ１に接続されており、時分割多重伝送方式により受信機１との通信を行う。
【００５２】
第２通信部２２は、複数の感知器３との通信を行う。第２通信部２２は、第２通信線Ｌ２に接続されており、第２通信線Ｌ２の電線間の電圧を変化させて複数の感知器３の各々との通信を行う。
【００５３】
記憶部２４は、例えば、ＥＥＰＲＯＭ等の不揮発性メモリを有する。中継器２では、自身のアドレス（第１アドレス）及び自身に接続される複数の感知器３の各々のアドレス（第２アドレス）等が、記憶部２４に記憶されている。
【００５４】
制御部２３は、第１通信部２１、第２通信部２２及び記憶部２４を制御する。また、制御部２３は、記憶部２４に記憶されているアドレスを読み出することができる。制御部２３は、図２に示すように中継器２の第２通信部２２から複数の感知器３の各々に対して自動試験要求が送信される（自動試験要求が第２通信プロトコルで送信される）ように第２通信部２２を制御する。これに対して、自動試験要求を取得した複数の感知器３の各々は、図２に示すように、自動試験を行い、自動試験の試験結果（第２通信プロトコル）を中継器２へ送信する（試験結果を第２通信プロトコルで送信する）。制御部２３は、第２通信部２２を介して取得した複数の感知器３の各々の試験結果が個別に第１通信部２１から受信機１へ送信されるように第１通信部２１を制御する。これにより、中継器２から受信機１へ複数の感知器３の各々の試験結果が個別に送信される（試験結果が個別に第１通信プロトコルで送信される）。
【００５５】
中継器２では、制御部２３は、第１通信部２１を介して受信機１からの自動試験に関する試験要求を取得したときに、第２通信部２２から複数の感知器３に対して自動試験要求が送信されるように第２通信部２２を制御する。受信機１からの自動試験に関する試験要求は、受信機１から第１通信プロトコルで送信された自動試験要求である。ここにおいて、「自動試験に関する試験要求」とは、受信機１から感知器３に、その感知器３の自動試験機能による自動試験の実施と、自動試験の試験結果の応答と、を要求するコマンドである。本実施形態の自火報システム１００では、受信機１からの自動試験に関する試験要求が複数の感知器３の各々に対する要求である。中継器２の制御部２３は、受信機１からの試験要求を取得したときに、第２通信部２２から試験要求の要求先の感知器３に対して自動試験要求が送信されるように第２通信部２２を制御する。ここにおいて、試験要求の要求元は、受信機１であり、要求先（要求相手）は、感知器３である。
【００５６】
制御部２３は、例えば、マイクロコントローラを含む。マイクロコントローラは、プログラムに従って動作するプロセッサと、プロセッサを動作させるプログラムを格納するためのメモリ及び作業用のメモリと、を備えた１チップのデバイスとして構成される。制御部２３に関しては、マイクロコントローラに適宜のプログラムを実行させることにより、制御部２３を実現することができる。
【００５７】
図２は、本実施形態の自火報システム１００において、例えば、一週間に一度行われる自動試験（定期自動試験）のために、受信機１から感知器３の自動試験に関する試験要求が複数の中継システム２０（中継器２）に送信された場合のシーケンス図を示している。
【００５８】
まず、受信機１から複数の中継器２（図示例では、中継器２ａ及び２ｂ）の各々に自動試験に関する試験要求が送信される。
【００５９】
自身の第１アドレスに対応付けられた試験要求を取得した中継器２ａは、自身に接続されている複数の感知器３（図示例では、２つの感知器３ａａ、３ａｂ）の各々に順次、第２アドレス及び自動試験要求を送信する。２つの感知器３ａａ、３ａｂの各々は、自身の第２アドレスに対応付けられた自動試験要求を受信すると、自身の自動試験を行い、中継器２ａに試験結果を送信する（試験結果応答）。
【００６０】
中継器２ａは、２つの感知器３ａａ、３ａｂの各々から試験結果を受信する度に、試験結果を受信機１へ送信する（試験結果応答）。
【００６１】
同様に、自身の第１アドレスに対応付けられた試験要求を取得した中継器２ｂは、自身に接続されている複数の感知器３（図示例では、２つの感知器３ｂａ、３ｂｂ）の各々に順次、第２アドレス及び自動試験要求を送信する。２つの感知器３ｂａ、３ｂｂの各々は、自身の第２アドレスに対応付けられた自動試験要求を受信すると、自身の自動試験を行い、中継器２ｂに試験結果を送信する（試験結果応答）。
【００６２】
中継器２ｂは、２つの感知器３ｂａ，３ｂｂの各々から試験結果を受信する度に、試験結果を受信機１へ送信する（試験結果応答）。
【００６３】
以上説明したように、本実施形態の自火報システム１００における中継システム２０（中継器２）では、制御部２３は、第２通信部２２から複数の感知器３の各々に対して自動試験要求が送信されるように第２通信部２２を制御する。また、制御部２３は、第２通信部２２を介して取得した複数の感知器３の各々の試験結果が第１通信部２１から受信機１へ送信されるように第１通信部２１を制御する。よって、中継システム２０では、自身を含む複数の中継システム２０で感知器３へ自動試験要求を送信し感知器３から試験結果を受信する動作を、並列的に行うことが可能となる。これにより、互いに異なる感知器３それぞれで自動試験を行っている期間の重複が可能となる。このため、中継システム２０では、自火報システム１００における自動試験（例えば、自火報システム１００において一週間に一度行われる定期自動試験）の時間の短縮を図ることが可能となる。中継システム２０では、例えば、自動試験要求を送信して、所定時間内にその自動試験要求の送信先の感知器３から自動試験の試験結果を受信できない場合も想定される。この場合、例えば、中継システム２０が、試験結果の代わりに、エラー信号（例えば、その感知器３が故障している可能性があることを示す信号等）を受信機１へ送信するようにしてもよい。
【００６４】
本実施形態の自火報システム１００は、受信機１と、各々が自動試験機能を有する複数の感知器３と、上記の中継システム２０と、を備える。これにより、自火報システム１００では、定期自動試験の時間の短縮を図ることが可能となる。
【００６５】
上記の実施形態は、本発明の様々な実施形態の一つに過ぎない。上記の実施形態は、本発明の目的を達成できれば、設計等に応じて種々の変更が可能である。
【００６６】
実施形態の変形例１の中継システム２０及びそれを備える自火報システム１００について、図３に基づいて説明する。変形例１の中継システム２０及びそれを備える自火報システム１００の基本構成は実施形態の中継システム２０及びそれを備える自火報システム１００（図１参照）と同様なので、図示及び説明を省略する。
【００６７】
変形例１の中継システム２０では、制御部２３が、複数の感知器３の試験結果を一括で第１通信部２１から受信機１へ送信させるように第１通信部２１を制御する点で、実施形態の中継システム２０と相違する。
【００６８】
図３は、定期自動試験のために、受信機１から感知器３の自動試験に関する試験要求が複数の中継システム２０（中継器２）に送信された場合のシーケンス図を示している。
【００６９】
まず、受信機１から複数の中継器２（図示例では、中継器２ａ及び２ｂ）の各々に自動試験に関する試験要求が送信される。
【００７０】
自身の第１アドレスに対応付けられた試験要求を取得した中継器２ａは、自身に接続されている複数の感知器３（図示例では、２つの感知器３ａａ、３ａｂ）の各々に順次、第２アドレス及び自動試験要求を送信する。２つの感知器３ａａ、３ａｂの各々は、自身の第２アドレスに対応付けられた自動試験要求を受信すると、自身の自動試験を行い、中継器２ａに試験結果を送信する（試験結果応答）。
【００７１】
同様に、自身の第１アドレスに対応付けられた試験要求を取得した中継器２ｂは、自身に接続されている複数の感知器３（図示例では、２つの感知器３ｂａ、３ｂｂ）の各々に順次、第２アドレス及び自動試験要求を送信する。２つの感知器３ｂａ、３ｂｂの各々は、自身の第２アドレスに対応付けられた自動試験要求を受信すると、自動試験を行い、中継器２ｂに試験結果を送信する（試験結果応答）。
【００７２】
中継器２ａは、２つの感知器３ａａ、３ａｂの試験結果を受信し終えた後に、２つの感知器３ａａ、３ａｂの試験結果を一括で受信機１へ送信する（試験結果応答）。
【００７３】
中継器２ｂは、２つの感知器３ｂａ、３ｂｂの試験結果を受信し終えた後に、２つの感知器３ｂａ、３ｂｂの試験結果を一括で受信機１へ送信する（試験結果応答）。
【００７４】
以上説明した変形例１の中継システム２０では、制御部２３が、複数の感知器３の試験結果を一括で第１通信部２１から受信機１へ送信させる。よって、変形例１の中継システム２０では、実施形態の中継システム２０と比べて、自火報システム１００における定期自動試験の時間の更なる短縮を図ることが可能となる。
【００７５】
実施形態の変形例２の中継システム２０及びそれを備える自火報システム１００について、図４に基づいて説明する。変形例２の中継システム２０及びそれを備える自火報システム１００の基本構成は実施形態の中継システム２０及びそれを備える自火報システム１００（図１参照）と同様なので、図示及び説明を省略する。
【００７６】
変形例２の中継システム２０では、受信機１からの試験要求が複数の感知器３に対する一括の要求である。ここにおいて、受信機１は、複数の中継器２に対してマルチキャストで試験要求を送信する（同報する）。制御部２３は、試験要求を取得したときに、第２通信部２２から複数の感知器３に対して自動試験要求が送信されるように第２通信部２２を制御する。
【００７７】
図４は、定期自動試験のために、受信機１から感知器３の自動試験に関する試験要求が複数の中継器２（中継システム２０）に送信された場合のシーケンス図を示している。
【００７８】
まず、受信機１から複数の中継器２（図示例では、中継器２ａ及び２ｂ）にマルチキャストで、感知器３の自動試験に関する試験要求が送信される。
【００７９】
マルチキャストで送信された試験要求を取得した中継器２ａは、自身に接続されている複数の感知器３（図示例では、２つの感知器３ａａ、３ａｂ）の各々に順次、第２アドレス及び自動試験要求を送信する。２つの感知器３ａａ、３ａｂの各々は、自身の第２アドレスに対応付けられた自動試験要求を受信すると、自動試験を行い、中継器２ａに試験結果を送信する（試験結果応答）。
【００８０】
中継器２ａは、２つの感知器３ａａ、３ａｂの各々から試験結果を受信する度に、試験結果を受信機１へ送信する（試験結果応答）。
【００８１】
同様に、マルチキャストで送信された試験要求を取得した中継器２ｂは、自身に接続されている複数の感知器３（図示例では、２つの感知器３ｂａ、３ｂｂ）の各々に順次、感知器３の第２アドレスを対応付けて自動試験要求を送信する。２つの感知器３ｂａ、３ｂｂの各々は、自身の第２アドレスに対応付けられた自動試験要求を受信すると、自動試験を行い、中継器２ｂに試験結果を送信する（試験結果応答）。
【００８２】
中継器２ｂは、２つの感知器３ｂａ，３ｂｂの各々から試験結果を受信する度に、試験結果を受信機１へ送信する（試験結果応答）。
【００８３】
以上説明した変形例２の中継システム２０では、実施形態の中継システム２０と比べて定期自動試験の時間の更なる短縮を図ることが可能となる。
【００８４】
変形例２の中継システム２０において、変形例１の中継システム２０と同様に、制御部２３が、複数の感知器３の試験結果を一括で第１通信部２１から受信機１へ送信させるように第１通信部２１を制御するようにしてもよい。
【００８５】
実施形態の変形例３の中継システム２０及びそれを備える自火報システム１００について、図５に基づいて説明する。変形例３の中継システム２０及びそれを備える自火報システム１００の基本構成は実施形態の中継システム２０及びそれを備える自火報システム１００（図１参照）と同様なので、図示及び説明を省略する。
【００８６】
変形例３の中継システム２０では、制御部２３は、受信機１からの試験要求を受け付けることなく、配下の複数の感知器３の各々に自動試験を実施させる。ここにおいて、配下の複数の感知器３とは、中継システム２０と通信を行う複数の感知器３である。制御部２３は、自火報システム１００の定期自動試験の周期（例えば、１週間）よりも短い周期（例えば、１時間）或いは受信機１と通信していない空き時間に、配下の複数の感知器３の各々に自動試験を実施させる。より詳細には、制御部２３は、第２通信部２２から複数の感知器３の各々に対して自動試験要求が送信されるように第２通信部２２を制御し、複数の感知器３の各々の試験結果を第２通信部２２を介して取得する。制御部２３は、第１通信部２１を介して受信機１から複数の感知器３に対する試験要求を取得したときに、複数の感知器３の各々についての最新の試験結果が一括で第１通信部２１から受信機１へ送信されるように第１通信部２１を制御する。
【００８７】
図５は、複数の中継システム２０（中継器２）において定期自動試験に関連する動作を説明するためのシーケンス図を示している。
【００８８】
中継器２ａは、自身に接続されている複数の感知器３（図示例では、２つの感知器３ａａ、３ａｂ）の各々に順次、感知器３の第２アドレスを対応付けて自動試験要求を送信する動作を周期的に行う。２つの感知器３ａａ、３ａｂの各々は、自身の第２アドレスに対応付けられた自動試験要求を受信すると、自動試験を行い、中継器２ａに試験結果を送信する（試験結果応答）。
【００８９】
同様に、中継器２ｂは、自身に接続されている複数の感知器３（図示例では、２つの感知器３ｂａ、３ｂｂ）の各々に順次、感知器３の第２アドレスを対応付けて自動試験要求を送信する動作を周期的に行う。２つの感知器３ｂａ、３ｂｂの各々は、自身の第２アドレスに対応付けられた自動試験要求を受信すると、自動試験を行い、中継器２ｂに試験結果を送信する（試験結果応答）。
【００９０】
自火報システム１００では、一週間に一度の定期自動試験を行う際に、受信機１から複数の中継器２（図示例では、中継器２ａ及び２ｂ）にマルチキャスト（同報）で、感知器３の自動試験に関する試験要求が送信される。
【００９１】
中継器２ａは、受信機１からの試験要求を受信すると、２つの感知器３ａａ、３ａｂの各々についての最新の試験結果を一括で第１通信部２１から受信機１へ送信する（試験結果応答）。ここにおいて、中継器２ａは、２つの感知器３ａａ、３ａｂの各々の所定回数分の試験結果をその取得時刻と関連付けて記憶部２４に記憶させておいてもよいし、試験結果を取得する度に最新の試験結果に更新しておいてもよい。
【００９２】
中継器２ｂは、受信機１からの試験要求を受信すると、２つの感知器３ｂａ、３ｂｂの各々についての最新の試験結果を一括で第１通信部２１から受信機１へ送信する（試験結果応答）。ここにおいて、中継器２ｂは、２つの感知器３ｂａ、３ｂｂの各々の所定回数分の試験結果をその取得時刻と関連付けて記憶部２４に記憶させておいてもよいし、試験結果を取得する度に最新の試験結果に更新しておいてもよい。
【００９３】
変形例３の中継システム２０では、受信機１から複数の中継システム２０に感知器３の自動試験に関する試験要求が送信されてから感知器３の自動試験を行う実施形態の中継システム２０と比べて、定期自動試験の時間の更なる短縮を図ることが可能となる。要するに、変形例３の中継システム２０では、受信機１が感知器３の自動試験に関する試験要求を送信してから、受信機１が全ての感知器３の試験結果を受信するまでの見かけ上の時間を短縮することが可能となる。
【００９４】
実施形態及びその変形例１〜３の各自火報システム１００は、音声警報機能を有する非常放送設備を更に備えていてもよい。
【００９５】
実施形態及びその変形例１〜３の各自火報システム１００は、受信機１に接続されるガス警報器を更に備えていてもよい。
【００９６】
また、実施形態及びその変形例１〜３の各自火報システム１００における受信機１は、ＧＲ型受信機に限らず、例えば、Ｒ型（Record type）受信機、Ｐ型受信機等でもよい。また、自火報システム１００を設置する防火対象物は、戸建住宅等でもよい。
【００９７】
また、実施形態及びその変形例１〜３の各自火報システム１００では、中継システム２０が第１通信線Ｌ１を介して受信機１と通信し、第２通信線Ｌ２を介して複数の感知器３と通信しているが、これに限らない。例えば、中継システム２０は、受信機１と無線通信により通信してもよい。また、中継システム２０は、複数の感知器３と無線通信により通信してもよい。
【００９８】
上述の実施形態及びその変形例１〜３の中継システム２０の各々は、構成要素（例えば、第１通信部２１、第２通信部２２、記憶部２４及び制御部２３を１つの装置（ここでは、中継器２）に備えている場合に限らず、複数の装置に分散して備えていてもよい。例えば、中継システム２０は、第１通信部２１を有する装置と、第２通信部２２を有する装置と、記憶部２４及び制御部２３を有する装置と、に分散されていてもよい。また、中継システム２０において記憶部２４は、必須の構成要素ではなく、例えば、制御部２３が記憶部２４の機能を有していてもよい。いずれにしても、中継システム２０は、複数の装置に機能分散されていてもよいし、一つの装置に全ての機能が備えられていてもよい。
【００９９】
上述の実施形態等から明らかなように、第１の態様に係る中継システム２０は、受信機１と各々が自動試験機能を有する複数の感知器３との間の通信を中継する。中継システムは、第１通信部２１と、第２通信部２２と、制御部２３と、を備える。第１通信部２１は、受信機１との通信を行う。第２通信部２２は、複数の感知器３との通信を行う。制御部２３は、第２通信部２２から複数の感知器３の各々に対して自動試験要求が送信されるように第２通信部２２を制御し、第２通信部２２を介して取得した複数の感知器３の各々の試験結果が第１通信部２１から受信機１へ送信されるように前記第１通信部２１を制御する。
【０１００】
以上の構成により、中継システム２０では、自火報システム１００における定期自動試験の時間の短縮を図ることが可能となる。
【０１０１】
第２の態様に係る中継システム２０では、第１の態様において、制御部２３は、第１通信部２１を介して受信機１からの自動試験に関する試験要求を取得したときに、第２通信部２２から複数の感知器３に対して自動試験要求が送信されるように第２通信部２２を制御する。これにより、中継システム２０は、受信機１から試験要求を取得したときに複数の感知器３に対して自動試験要求を送信することができるので、自火報システム１００における定期自動試験の時間の短縮を図ることが可能となる。
【０１０２】
第３の態様に係る中継システム２０では、第２の態様において、受信機１からの試験要求が複数の感知器３の各々に対する要求である。制御部２３は、試験要求を取得したときに、第２通信部２２から試験要求の要求先の感知器３に対して自動試験要求が送信されるように第２通信部２２を制御する。これにより、中継システム２０では、自火報システム１００における定期自動試験の時間の短縮を図ることが可能となる。
【０１０３】
第４の態様に係る中継システム２０では、第２の態様において、受信機１からの試験要求が複数の感知器３に対する一括の要求である。制御部２３は、試験要求を取得したときに、第２通信部２２から複数の感知器３に対して自動試験要求が送信されるように第２通信部２２を制御する。これにより、中継システム２０では、自火報システム１００における定期自動試験の時間の更なる短縮を図ることが可能となる。
【０１０４】
第５の態様に係る中継システム２０では、第１の態様において、制御部２３は、第２通信部２２から複数の感知器３の各々に対して自動試験要求が送信されるように第２通信部２２を制御し、複数の感知器３の各々の試験結果を第２通信部２２を介して取得する。制御部２３は、第１通信部２１を介して受信機１から複数の感知器３に対する試験要求を取得したときに、複数の感知器３の各々についての最新の試験結果が一括で第１通信部２１から受信機１へ送信されるように第１通信部２１を制御する。これにより、中継システム２０では、自火報システム１００における定期自動試験の時間の更なる短縮を図ることが可能となる。
【０１０５】
第６の態様に係る中継システム２０では、第２乃至４のいずれか一つの態様において、制御部２３は、複数の感知器３の各々の試験結果を第１通信部２１から受信機１へ送信させるように第１通信部２１を制御する。これにより、中継システム２０では、自火報システム１００における定期自動試験の時間の短縮を図ることが可能となる。
【０１０６】
第７の態様に係る中継システム２０では、第２乃至４のいずれか一つの態様において、制御部２３は、複数の感知器３の試験結果を一括で第１通信部２１から受信機１へ送信させるように第１通信部２１を制御する。これにより、中継システム２０では、自火報システム１００における定期自動試験の時間の更なる短縮を図ることが可能となる。
【０１０７】
第８の態様に係る自火報システム１００は、受信機１と、各々が自動試験機能を有する複数の感知器３と、上記の中継システム２０と、を備える。これにより、自火報システム１００では、定期自動試験の時間の短縮を図ることが可能となる。
【符号の説明】
【０１０８】
１  受信機
２０  中継システム
２１  第１通信部
２２  第２通信部
２３  制御部
３  感知器
１００  自火報システム
【図１】
2018190096.tif 000003
【図２】
2018190096.tif 000004
【図３】
2018190096.tif 000005
【図４】
2018190096.tif 000006
【図５】
2018190096.tif 000007